(57)【要約】【課題】ネットワークに接続された文書処理装置のシステムにおいてユーザに関連付けられた消費単位のストックを管理する改善された方法を提供する。【解決手段】複数の消費単位のストックが各文書処理装置上に保持され、文書処理装置上の各ストックがユーザに関連付けられる、ネットワークに接続された文書処理装置のシステムにおいてユーザに関連付けられた消費単位のストックを管理する方法である。この方法は、発せられた信号への反応として、第１の文書処理装置上に保持される第１のストックの消費単位を第２の文書処理装置上に保持される第２のストックに、ネットワークを介して転送することを含む。複数の文書処理装置上にある、同じユーザに関連付けられた消費単位のストックを、ネットワークを介して管理するのに適した分配機能を含む装置である。【選択図】      図２
2005056400.tif 000002
【特許請求の範囲】
【請求項１】
複数の消費単位のストックが各文書処理装置上に保持され、文書処理装置上の各ストックがユーザに関連付けられる、ネットワークに接続された文書処理装置のシステムにおいてユーザに関連付けられた消費単位のストックを管理する方法であって、発せられた信号への反応として、第１の文書処理装置上に保持される第１のストックの消費単位を第２の文書処理装置上に保持される第２のストックに、ネットワークを介して転送することを含むことを特徴とする方法。
【請求項２】
ユーザが第２の文書処理装置上で文書ジョブを要求している場合には、前記第２の文書処理装置によって発せられた信号の反応として消費単位の転送が行われることを特徴とする請求項１に記載の消費単位のストックを管理する方法。
【請求項３】
要求された文書ジョブが第２の文書処理装置上で処理される場合には、前記第２の文書処理装置によって発せられた信号の反応として消費単位の転送が行われることを特徴とする請求項１に記載の消費単位のストックを管理する方法。
【請求項４】
第２の文書処理装置上に保持される第２のストックの消費単位の量が所定の限度より少ない場合には、第２の文書処理装置によって発せられた信号の反応として消費単位の転送が行われることを特徴とする請求項１に記載の消費単位のストックを管理する方法。
【請求項５】
ネットワークを介して時間依存的に発せられる信号の反応として消費単位の転送が行われることを特徴とする請求項１に記載の消費単位のストックを管理する方法。
【請求項６】
ユーザの消費行動に依存する、ネットワークを介して発せられる信号の反応として消費単位の転送が行われることを特徴とする請求項１に記載の消費単位のストックを管理する方法。
【請求項７】
通貨単位を消費単位に変換することをさらに含むことを特徴とする、請求項１から６のいずれかに記載の消費単位のストックを管理する方法。
【請求項８】
各々の文書処理装置がユーザに関連付けられた複数の消費単位のストックを保持する手段を備えるネットワークに接続された文書処理装置を含む、文書ジョブを処理する装置であって、複数の文書処理装置上にある同じユーザに関連付けられた消費単位のストックを、ネットワークを介して管理するのに適した分配機能をさらに含むことを特徴とする装置。
【請求項９】
分配機能は、発せられた信号への反応として、第１の文書処理装置上に保持される第１のストックの消費単位を第２の文書処理装置上に保持される第２のストックに転送するのに適することを特徴とする請求項８に記載の文書ジョブを処理する装置。
【請求項１０】
分配機能が、ネットワークに接続されたサーバの処理ユニット上で実行されることを特徴とする請求項８または９に記載の文書ジョブを処理する装置。
【請求項１１】
各文書処理装置が処理ユニットを含み、分配機能が、複数の文書処理装置上にある複数の処理ユニット上で実行されることを特徴とする請求項８または９に記載の文書ジョブを処理する装置。
【請求項１２】
少なくとも１つの処理ユニットに請求項１から７のいずれか一項に記載の方法を実施させる命令を含むコンピュータ可読媒体上に存在するコンピュータプログラム製品。
【発明の詳細な説明】
【技術分野】
【０００１】
本発明は、複数の消費単位のストックが各文書処理装置上に保持され、文書処理装置上の各ストックがユーザに関連付けられる、ネットワークに接続された文書処理装置のシステムにおいてユーザに関連付けられた消費単位のストックを管理する方法に関する。
【０００２】
また、本発明は、各々の文書処理装置がユーザに関連付けられた複数の消費単位のストックを保持する手段を備える、ネットワークに接続された文書処理装置を含む文書ジョブを処理する装置にも関する。
【０００３】
さらに、本発明は、少なくとも１つの処理ユニットに本発明に従った方法を実施させる命令を含むコンピュータ可読媒体上に存在するコンピュータプログラム製品にも関する。
【背景技術】
【０００４】
消費単位のストックを管理することは、個々のユーザが、複写機、印刷装置、スキャナ、ソフトウェアプログラムがインストールされたワークステーションまたはその他任意の文書処理装置を使用可能にする口座に事前に入金することになる、公共図書館、学校などのような環境では特に関心が高い。一般に、この口座は、ユーザによって通貨単位で満たされ、対応する金額が消費単位のストックに変換される。文書処理装置によって文書が作成されると、その装置の使用に対する支払いとして、ストックから消費単位が引き出される。実行されたジョブについてストックから差し引かれる消費単位の量は、装置、出力シートの枚数、印刷媒体の品質、印刷された文書、ソフトウェア使用の種類および期間などに依存する。
【０００５】
文書処理装置によって発せられる信号を使用して、あるユーザに関連付けられた口座を会計する手段は、特に、米国特許第５，１７２，３９８号明細書によって知られている。そこに記載されている複写機は、接続可能なキーカウンタ、接続可能な硬貨投入式機構、接続可能な磁気カード読取り装置などの会計手段を備えることができる。そうした会計手段は、ネットワーク環境で文書を印刷するなどの文書ジョブ処理にはあまり適さない。
【０００６】
米国特許第６，１２２，０３９号明細書には、スキャナおよび印刷ハードウェアを含む文書処理装置用の会計手段が開示されている。会計手段は、スキャナおよび印刷ハードウェアのうちの少なくとも１つからの信号を使用して、あるユーザに関連する口座を減少させる。前記手段は、個々のユーザがその装置の個々の機能に対してどれだけの貸方を費やす必要があるか決定することができる。この会計手段は、硬貨投入口などの貨幣投入手段や、クレジットカードまたはデビットカードの入力にアクセスすることもできる。例えば、複数のスキャナおよび印刷装置を備えるネットワークを構築することも可能なはずであるが、ユーザは、硬貨またはカードを使用して口座を満たすために、その場合もやはり、その会計手段と物理的に対話する必要があるであろう。これは、特に巨大なネットワークの場合には厄介なものである。
【０００７】
米国特許出願公開第２００１／００３９４９８Ａ１号明細書には、ネットワークに接続されたイメージ入出力装置、入出力装置を管理するためにネットワークを介して入出力装置に接続されたブローカ、およびブローカに接続されたサービスセンタを含む課金プロセス管理システムが開示されている。サービスセンタは、イメージ入出力装置のそれぞれの使用状況に従い、ブローカを介して課金情報を収集するためのものである。サービスセンタは、各々のユーザＩＤが１人の特定のユーザを指示する個々のユーザＩＤの登録および管理機能を提供することができる。問題は、各装置、ブローカおよびサービスセンタを接続するネットワークがダウンしたときに、登録されたユーザがそれらのイメージ入出力装置を使用できないことである。
【特許文献１】米国特許第５，１７２，３９８号明細書
【特許文献２】米国特許第６，１２２，０３９号明細書
【特許文献３】米国特許出願公開第２００１／００３９４９８号明細書
【発明の開示】
【発明が解決しようとする課題】
【０００８】
本発明の目的は、前述の問題が緩和される、ネットワークに接続された文書処理装置のシステムにおいてユーザに関連付けられた消費単位のストックを管理する改善された方法を提供することである。
【課題を解決するための手段】
【０００９】
本発明の前述の目的は、発せられた信号への反応として、第１の文書処理装置上に保持される第１のストックの消費単位を、第２の文書処理装置上に保持される第２のストックにネットワークを介して転送することによって実現される。公共図書館や学校などの環境では、例えば、スキャナ、印刷装置、複写機などといった文書処理装置を利用するために、登録されたユーザが消費単位のストックを事前購入するのが一般的である。消費単位のストックは、ネットワークを介してそれらの装置に接続されたサーバによって管理することができる。例えば、消費単位の合計をいくつかの文書処理装置をわたって分配することも可能である。これは、ユーザが使用可能な装置のそれぞれにストックが存在することを意味する。信号が発せられると、消費単位がある装置から別の装置に転送され、ユーザは、複数の装置上に保持された消費単位にアクセスできることになる。
【００１０】
本発明による方法の別の態様によれば、ユーザが第２の文書処理装置上で文書ジョブを要求している場合には、前記第２の文書処理装置によって発せられた信号の反応として消費単位の転送が行われる。これにより、文書ジョブが要求されている文書処理装置上で十分な消費単位を使用可能であることが保証される。
【００１１】
要求された文書ジョブが第２の文書処理装置上で処理される場合には、前記第２の文書処理装置によって発せられた信号の反応として消費単位の転送が行われ得る。したがって、その消費単位のストックは文書ジョブの処理中に補給される。その後、ストックが配置されるその他の装置が一時的に使用不能になった場合でも、消費単位がすでに転送されているので、使用中の装置が直接枯渇することはない。
【００１２】
好ましくは、第２の文書処理装置上に保持される第２のストックの消費単位の量が所定の限度より少ない場合には、第２の文書処理装置によって発せられる信号の反応として消費単位の転送が行われる。この予防措置は、ある装置上で一定量の消費単位が使用可能であることが保証する。所定の限度は、装置、ユーザの使用行動などに依存し得る。
【００１３】
本発明に従った、ネットワークに接続された文書処理装置を含む文書ジョブを処理する装置は、複数の文書処理装置上にある同じユーザに関連付けられた消費単位のストックを、ネットワークを介して管理するのに適した分配機能をさらに含むことを特徴とする。したがって、この分配機能は、ネットワークに接続された装置上の消費単位の量を知り、それらのストックの正確な会計処理が実行され得る。
【００１４】
好ましくは、この分配機能は、発せられた信号への反応として、第１の文書処理装置上に保持される第１のストックの消費単位を第２の文書処理装置上に保持される第２のストックに転送するのに適する。消費単位の転送には、所与の装置上で文書ジョブを処理するユーザが、その所与の装置上に保持される単位以外の他の消費単位を自由に使用することができるという利点がある。
【００１５】
本発明は、特に、この分配機能が、複数の文書処理装置上にある複数の処理ユニットで実行される装置を提供する。これは、分配機能を実装するのに好都合なやり方である。
【００１６】
次に、本発明を、以下の本発明の例示的実施形態に関して、図面を参照して説明する。これらの実施形態は本発明を例示するためのものであり、本発明を限定するものであるとみなすべきではない。
【発明を実施するための最良の形態】
【００１７】
図１に、ローカルエリアネットワーク（ＬＡＮ）Ｎを介して相互に接続されると共にサーバ８にも接続されたワークステーション１、２、３などであるいくつかのクライアントを示す。ワークステーション４、スキャナ６、印刷／複写装置２２、２４などの文書処理装置は、ローカルエリアネットワークＮを介して相互に接続される。この環境は、例えば、公共図書館や、学校などに設置され得る。個々のユーザまたは事前定義されたユーザグループは、ワークステーション１、２、３などのいずれか１つを使用し、ネットワークを介して印刷装置２２または２４のうちの１つに印刷ジョブを送ることができる。また、ユーザは、必要なときには、文書処理装置４、６、２２または２４の１つを直接使用して、それぞれ、特別のソフトウェア、あるいはワークステーション４またはネットワークに接続された別のコンピュータ上にインストールされたディジタル文書にアクセスし、スキャナ６で文書をスキャンし、印刷／複写装置２２または２４の１つで文書を複写することもできる。
【００１８】
公共図書館や学校などの環境では、ユーザが登録され、それらのユーザが通貨単位を用いて関連する口座に入金するというのが一般的である。一例が、そのストックがサーバ８によって管理される銀行に似たシステムである。ユーザの通貨単位の貸方は、「消費単位」のストックに変換される。ストックを持つ登録ユーザが印刷ジョブを送り、スキャナ６またはワークステーション４を使用し、あるいは装置２２または２４のうちの１つで複写を行うたびに、いくつかの消費単位がそのユーザに関連するストックから差し引かれる。差し引かれる単位数は、使用ソフトウェアおよびワークステーション４での使用期間、装置２２または２４での印刷媒体形式、印刷媒体品質、カラー、両面、ステープル、ページ数などいくつかのパラメータに依存する。例えば、登録ユーザがオンライン文書を利用可能な公共図書館などでは、その単位数が印刷される選択された文書に依存し得る。この銀行のようなシステムが使用されるとき、サーバ８は接続された文書処理装置４、６、２２、および２４と通信する。接続された文書処理装置の各々は、ユーザによって要求されたジョブのパラメータに関する情報をサーバに送る手段を含む。ジョブが実際に処理されると、そのユーザのストックから消費単位が差し引かれる。
【００１９】
次に、本発明の一実施形態による装置について説明する。例えば、公共図書館では、新規ユーザまたは登録済みユーザは、各自の席で通貨単位を用いて自分の貸方を満たすことができる。登録ユーザの通貨単位の貸方は、消費単位の貸方に変換され、この貸方が、いくつかの文書処理装置上で保持される複数の消費単位のストックに分割される。例えば、セントラルサーバ８は、ユーザの貸方を消費単位のストックに分割して複数の装置上に分配する、プロセッサ（ＣＰＵ）上で実行される分配機能を備えることができる。例えば、あるユーザは、自分の口座の貸方が合計で８０消費単位を含むように入金しているとする。分配機能は、そのユーザがアクセスを許可されている装置上にこの消費単位の総量を分配する。例えば、新規ユーザについては、ワークステーション４のストックは２０消費単位だけ貸方に記入され、スキャナ６は２０消費単位だけ貸方に記入され、同じものを印刷／複写装置２２および２４の各々に保持することが可能である。そのユーザがすでに分配機能にとって既知である場合には、好ましくは、分配機能はユーザの一定の行動を知っている。例えば、その機能は、そのユーザが、装置６および２２を利用することが多く、装置４および２４を利用することは少ないことを知っており、分配機能は、装置４および２４のストックの貸方にはより少ない消費単位（例えば、１装置当たり５単位）を記入し、装置６および２２の貸方にはより多くの単位（例えば、１装置あたり３５単位）を記入する。
【００２０】
文書処理装置を使おうとするユーザは、選択された装置上で自分自身を識別する。ユーザが装置４、６、２２、２４の１つを使用し始めると、使用中の装置上に保持される対応するストックから消費単位が引き出される。ユーザが文書処理装置のいずれかを使おうとするときにサーバが利用できない場合でも、そのユーザは所望のジョブを実行することができる。消費単位で満たされたストックが装置上に保持されるので、ジョブは実行されることが可能であり、ローカルストックから消費単位が引き出される。そのときにサーバ８がアクセス可能である必要はない。
【００２１】
サーバが使用可能なときに、そしてユーザが装置を使用し始めると、サーバ８の分配機能は、使用中の装置のストックから消費単位が差し引かれることを知る。例えば、ユーザが文書を複写するために装置２２を使用し始める場合に、当初は２０消費単位が使用可能であるとする。そのユーザがそれ以上その装置を正常に使用できなくなる、装置２２のストックがゼロになることを回避するために、分配機能は、例えば、ネットワークに接続された装置、この場合には装置４、６、および２４から消費単位を転送する。分配機能は、装置４、６および２４上に位置する各ストックから１０消費単位を、すなわち、合計３０消費単位を使用中の装置に転送することができる。そのユーザが複写ジョブを続行する場合には、同様の方法で、消費単位を再度転送されることが可能である。ユーザが複写ジョブを完了したときに、消費単位を戻すことも可能である。分配機能がサーバ上に配置されるこの実施形態では、消費単位は転送時を除いて、装置自体に配置されている。サーバが一時的に使用不能になった場合でも、消費単位がその装置に保持されるストック上ですでに使用可能なので、複写ジョブは開始され得る。サーバが一時的に使用不能であっても、消費単位が使用中の装置に転送されていれば、その装置上でより多くの単位が使用可能であり、転送が行われなかった場合よりも多くのコピーが出力されることができる。おそらく、サーバは、その複写ジョブが処理されている間に再度使用可能になる。
【００２２】
第１の装置上に保持されるストックから第２の装置上に保持されるストックへの転送は、第２の装置上に保持されるストックの消費単位の量が所定の限度より少ないときに実施され得る。分配機能は、ユーザの一定の消費行動を認識することができる。これは、その装置上での一定の行動に従って各装置に消費単位が提供されることが保証する。また、分配機能は、ユーザの消費行動に応じて、一定の時期に各装置に消費単位が転送されるように処理することもできる。例えば、分配機能は、所与のユーザが、好ましくは、一定の曜日に、あるいは１月または１年のうちの一定の期間にある装置を使用していると認識することができる。したがって、分配機能は、一定の期間にその装置でより多くの単位が使用可能になるように消費単位を転送することができる。
【００２３】
図２に示すように、本発明による方法は、分散アーキテクチャで実装することもできる。その場合には、セントラルサーバは必要とされない。その代わりに、文書処理装置上のいくつかの処理装置（ＣＰＵ）によって実行され得る分配機能が提供される。印刷／複写装置２２は、印刷エンジン３０、および登録されたユーザがそこでログオンするためのグラフィックユーザインターフェイス（ＧＵＩ）３２を含む。リモートモジュール４２は、ネットワークＮを介して他の装置４、６、２４と対話することができる。したがって、これは、やはりリモートモジュール（図示せず）を含むその他の装置からの消費単位を要求し得る。その他の装置４、６、２４は、そのリモートモジュールを介して装置２２に単位を要求することができる。消費単位の金銭的価値は装置に独立である。したがって、１消費単位が基本単位であり、ある装置上の１つの文書ジョブは一定量の単位で課金される。消費単位は、変換せずにある装置から別の装置に転送することもでき、ある文書ジョブに課金される消費単位での料金は装置に依存する。他方、消費単位の金銭的価値を装置依存とすることもできる。印刷／複写装置２２は、変換モジュール３６を備えることができる。これは、装置依存の金銭的価値を有する消費単位が第１の装置から別の装置、例えば装置２２などに転送される場合には有用である。第１の装置上の変換モジュールは、転送される消費単位の価値を通貨単位に変換する。次いで、ある金額の通貨単位が装置２２に転送され、変換モジュール３６は、この貸方を消費単位に変換することができ、逆もまた可能である。この変換モジュールは、ある装置上の消費単位が、他の装置上のものと同じ（通貨単位で表される）価値を持たない場合には、特に有用である。例をあげると、装置２２は、１消費単位の価値が２５通貨単位であるカラー印刷装置であり、装置２４は、１消費単位の価値が３通貨単位であるモノクローム印刷装置であるとする。装置２２の１消費単位が装置２４に転送されるときには、変換モジュール３６は、それを同額の通貨単位に変換し、装置２４上の変換モジュール（図示せず）がその金額の通貨単位を装置２４用の消費単位に変換する。これは消費単位をある装置用から別の装置用に変換するのに好都合で正確な方法である。管理機能４０は、ユーザに関連付けられた消費単位のストックのリスト３４を管理するモジュールである。これは消費単位の転送を要求するのに適している。そうした要求は、その他の装置のリスト３８およびローカルエリアネットワークＮにアクセスすることのできるリモートモジュールに送られる。リモートモジュール４２、管理機能４０および変換モジュール３６は、装置２２にインストールされた、ＣＰＵ（図示せず）によって実行可能な論理機能である。その他の装置は、分散アーキテクチャを容易に実装できるような方式で、同等な要素が備えられる。
【００２４】
図３は本発明による方法の一実施形態である。この例では、分散アーキテクチャが使用され、消費単位の転送にセントラルサーバは必要とされない。登録ユーザがログオンし（Ｓ２）、例えばｐｉｎコードなどを使用して自分自身を識別する。この例では、ユーザは、装置２２にログオンして複写ジョブを実行しようとする。この方法は、明らかに、印刷ジョブを実施する、文書をスキャンする、ワークステーション４を使用するなどの、ネットワークＮに接続された文書処理装置４、６、２２、２４のいずれかで実施され得る任意の文書ジョブに適用される。したがって、複写ジョブが要求され（Ｓ４）、装置２２上で消費単位が使用可能であるかどうかがチェックされる（Ｓ６）。装置２２で消費単位が使用可能でないことが判明した場合には、装置２２によって信号が発せられ、分配機能によってその他の装置４、６、２４にリモート単位が要求される。消費単位の転送が開始され（Ｓ８）、リモート単位が装置２２のストックに付加され（Ｓ１１）、複写ジョブが開始される（Ｓ１０）。コピーが出力され（Ｓ１２）、単位のローカルストックから消費単位が差し引かれる（Ｓ１４）。リモート単位の要求、ローカル装置へのリモート単位の転送および付加は、再度実施され得る（Ｓ１６）。これには、現在使用中の装置でさらに多くの単位が使用可能になるという利点がある。特に、これは、Ｓ１６が実施された後で、１つまたはいくつかの他の装置４、６、２４が故障したためにその他の装置が使用できなくなった場合に関心がある。ジョブが完了した場合には（Ｓ１８）、ユーザは別の複写ジョブを要求する（Ｓ２０）ことができ、ステップＳ６からＳ１８が繰り返される。この実施形態の一変形形態では、装置２２上のストックに単位を転送し、付加するステップＳ８およびＳ１１が、ステップＳ１０、Ｓ１２およびＳ１４と同時に実施され得る。
【００２５】
図３に示す実施形態では、選択された装置の単位のストックが空である場合には、その文書ジョブは、選択されたローカル装置にリモート単位を転送した後で開始される。別の実施形態では、ユーザがその文書ジョブを遅滞なく開始できることを保証するために、要求後可能な限り早くジョブが開始され、単位の借方が記入される。同時に、分配機能は他の装置からのリモート単位の転送を要求する。要求された単位が転送され、記入されていた単位の借方が消去される。
【００２６】
図４に、分配機能がサーバにインストールされる、本発明による方法の別の実施形態を示す。参照番号２２０は使用中の文書処理装置２２で実施されるプロセスを示し、参照番号８０はサーバ８でのプロセスを示し、参照番号６０はその他の装置４、６、２４でのプロセスを示す。この例でもやはり、ユーザが複写ジョブを要求する。この方法は、明らかに、印刷ジョブを実施する、文書をスキャンする、又はワークステーション４を使用するなどの、ネットワークＮに接続された文書処理装置４、６、２２、２４のいずれかで実施され得る任意の文書ジョブに適用される。前述の方法と同様に、ユーザがログオンし（Ｓ２）、複写ジョブを要求する（Ｓ２４）。装置２２上の単位のローカルストックｎ２が、その複写ジョブを実行するのに必要とされる単位量ｎ３と比較される（Ｓ２６）。この例では、ｎ３がｎ２より大きく、したがって、そのジョブを実施するのに、ｎ３とｎ２との差であるｎ１単位が必要とされることが判明する。ｎ１単位の要求が装置２２によってサーバ８に送られる（Ｓ２８）。同時に、その複写ジョブが開始され（Ｓ４０）、コピーが出力される（Ｓ４２）。サーバ８は装置２２によって送られた要求を受け取る（Ｓ３０）。応答として、サーバ８は、要求されたｎ１単位を装置２２に転送する（Ｓ３２）。装置２２では、複写ジョブが実行される（Ｓ４２）間にｎ１単位がローカルストックに付加される（Ｓ３４）。その間に、サーバ８の一機能は、ｎ１単位の一時的な借方を記入し（Ｓ３６）、それを装置２２のそのユーザのストックにリンクさせる。サーバは、ネットワークに接続されたその他の装置からのｎ１単位を要求する（Ｓ３８）。前記要求はその他の装置４、６、２４に送られ、同じユーザに関連付けられたローカルストックがチェックされ（Ｓ４８）、前記各装置の消費単位のストックからｎ１単位が差し引かれ（Ｓ５０）、次いで、ｎ１単位がサーバ８に送られ（Ｓ５２）、それによって、一時的に記入された借方を消去し、借方がゼロになる（Ｓ５４）。同時に、装置２２上では、複写ジョブの処理が続行されてコピーが出力され（Ｓ４２）、ローカルストックから消費された単位が差し引かれる（Ｓ４４）。ジョブが完了すると、ユーザは、次のジョブを開始しようとすることを決定でき（Ｓ４６）、その場合にはステップＳ２４からＳ４４が繰り返される。そうでない場合は、プログラムが終了される。
【図面の簡単な説明】
【００２７】
【図１】本発明による装置を実装できるネットワークシステムの一例を示す図である。
【図２】本発明による装置の構成要素および論理機能を示す図である。
【図３】本発明による方法の一実施形態を示す流れ図である。
【図４】本発明による方法の別の実施形態を示す流れ図である。
【符号の説明】
【００２８】
１〜４  ワークステーション
６  スキャナ
８  サーバ
２２、２４  印刷／複写装置
Ｎ  ローカルエリアネットワーク
３０  印刷エンジン
３２  グラフィックユーザインターフェイス
３４  ユーザに関連付けられた消費単位のストックのリスト
３６  変換モジュール
３８  その他の装置のリスト
４０  管理機能
４２  リモートモジュール
【図１】
2005056400.tif 000003
【図２】
2005056400.tif 000004
【図３】
2005056400.tif 000005
【図４】
2005056400.tif 000006
【外国語明細書】
2005056400.tif 000007
2005056400.tif 000008
2005056400.tif 000009
2005056400.tif 000010
2005056400.tif 000011
2005056400.tif 000012
2005056400.tif 000013
2005056400.tif 000014
2005056400.tif 000015
2005056400.tif 000016
2005056400.tif 000017
2005056400.tif 000018
2005056400.tif 000019
2005056400.tif 000020
2005056400.tif 000021
2005056400.tif 000022
2005056400.tif 000023